(57)【要約】【課題】美観を損なうことがなく、多様な間取りに対応できる収納庫を提供する。【解決手段】玄関ポーチ１に設けられる収納庫２である。  そして、ステップ１１に設置される基礎プレート部２１と、基礎プレート部２１に載置され、外壁３１に突設される一対の側面パネル部２２，２２と、基礎プレート２１部に載置され、一対の側面パネル部２２，２２の先端側に設置されて、一対の側面パネル部２２，２２に接続させる正面パネル部２３と、外壁３１と一対の側面パネル部２２，２２と正面パネル部２３とによって囲まれる収納空間の上方を塞ぐ天井部２６と、外壁３１と側面パネル部２２，２２と正面パネル部２３の少なくとも一箇所に設けられる出入口部２４と、を備える。【選択図】図１
2008248643.tif 000002
【特許請求の範囲】
【請求項１】
背面が建物の外壁と接する玄関ポーチに設けられる収納庫であって、
該玄関ポーチのステップに設置される基礎プレート部と、
該基礎プレート部に載置され、前記背面と接する外壁に突設される一対の側面パネル部と、
前記基礎プレート部に載置され、前記一対の側面パネル部の先端側であって前記外壁面と対向する位置に設置されて、前記一対の側面パネル部に接続させる正面パネル部と、
前記外壁と前記一対の側面パネル部と前記正面パネル部とによって囲まれる収納空間の上方を塞ぐ天井部と、
前記外壁と前記側面パネル部と前記正面パネル部の少なくとも一箇所に設けられる出入口部と、を備えることを特徴とする収納庫。
【請求項２】
背面及び側面が建物の外壁と接する玄関ポーチに設けられる収納庫であって、
該玄関ポーチのステップに設置される基礎プレート部と、
該基礎プレート部に載置され、前記背面と接する外壁に突設される側面パネル部と、
前記基礎プレート部に載置され、前記側面と接する外壁に突設されて、前記側面パネル部に接続させる正面パネル部と、
前記外壁と前記側面パネル部と前記正面パネル部とによって囲まれる収納空間の上方を塞ぐ天井部と、
前記外壁と前記側面パネル部と前記正面パネル部の少なくとも一箇所に設けられる出入口部と、を備えることを特徴とする収納庫。
【請求項３】
前記側面パネル部及び前記正面パネル部は、前記外壁と同意匠の外装材を有することを特徴とする請求項１又は請求項２に記載の収納庫。
【請求項４】
前記天井部として、前記ステップに立設される柱部に支持される庇パネル部が設置されることを特徴とする請求項１乃至請求項３のいずれか一項に記載の収納庫。
【請求項５】
請求項１乃至請求項４のいずれか一項に記載の収納庫を備えることを特徴とする建物。
【発明の詳細な説明】
【技術分野】
【０００１】
本発明は、建物に付属した収納庫と建物に関する。
【背景技術】
【０００２】
従来、屋外で使用する道具などを収納するために、住宅の敷地内に物置を設置することが多い。
【０００３】
特に、北海道などの寒冷地においては、除雪用具や冬タイヤなどの生活必需品を収納するための物置が必要となる。
【０００４】
この場合、物置の設置場所としては、人が出入りする玄関付近が便利であるが、玄関付近に物置を設置すると、建物の美観や街並景観を著しく損なうこととなる。
【０００５】
さらに、建物に隣接して物置を設置することで、侵入者が建物内に侵入する際の足がかりとなることや、周囲の視線を遮って死角をつくることなどが問題となる。
【０００６】
このため、特許文献１では、建物の外壁を延長して玄関ポーチの一部を囲むことで、美観を損なうことなく、収納所を設けている。
【０００７】
また、特許文献２では、あらかじめ建物ユニットに玄関と玄関収納とを組み込んでおくことによって、安価に、美観を損なうことなく、玄関収納を設けている。    
【特許文献１】特開平１０−２６６５９４号公報
【特許文献２】特開平１１−２４１５１４号公報
【発明の開示】
【発明が解決しようとする課題】
【０００８】
しかしながら、上記した特許文献１のように、外壁を延長する構成では、収納所の配置場所や扉の向きが限定されてしまうため、住宅の間取りによっては収納所を設置できない場合があった。
【０００９】
また、特許文献２のように、建物ユニットに玄関収納を組み込む構成では、住宅の様々な間取りに対応するために、多種類の建物ユニットを用意する必要があった。
【００１０】
そこで、本発明は、美観を損なうことがなく、多様な間取りに対応できる収納庫、及び収納庫を備える建物を提供することを目的としている。
【課題を解決するための手段】
【００１１】
前記目的を達成するために、本発明の収納庫は、背面が建物の外壁と接する玄関ポーチに設けられる収納庫であって、該玄関ポーチのステップに設置される基礎プレート部と、該基礎プレート部に載置され、前記背面と接する外壁に突設される一対の側面パネル部と、前記基礎プレート部に載置され、前記一対の側面パネル部の先端側であって前記外壁面と対向する位置に設置されて、前記一対の側面パネル部に接続させる正面パネル部と、前記外壁と前記一対の側面パネル部と前記正面パネル部とによって囲まれる収納空間の上方を塞ぐ天井部と、前記外壁と前記側面パネル部と前記正面パネル部の少なくとも一箇所に設けられる出入口部と、を備えることを特徴とする。
【００１２】
また、背面及び側面が建物の外壁と接する玄関ポーチに設けられる収納庫であって、該玄関ポーチのステップに設置される基礎プレート部と、該基礎プレート部に載置され、前記背面と接する外壁に突設される側面パネル部と、前記基礎プレート部に載置され、前記側面と接する外壁に突設されて、前記側面パネル部に接続させる正面パネル部と、前記外壁と前記側面パネル部と前記正面パネル部とによって囲まれる収納空間の上方を塞ぐ天井部と、前記外壁と前記側面パネル部と前記正面パネル部の少なくとも一箇所に設けられる出入口部と、を備えることを特徴とする。
【００１３】
さらに、前記側面パネル部及び前記正面パネル部は、前記外壁と同意匠の外装材を有することが好ましい。
【００１４】
そして、前記天井部として、前記ステップに立設される柱部に支持される庇パネル部が設置することができる。
【００１５】
また、本発明の建物は、上記したような収納庫を備えることを特徴とする。
【発明の効果】
【００１６】
このように構成された本発明の収納庫は、玄関ポーチの背面が建物の外壁と接する場合には、基礎となる基礎プレート部と、基礎プレート部に載置される一対の側面パネル部及び正面パネル部と、上方を塞ぐ天井部と、出入口部と、を備えている。
【００１７】
同様に、本発明の収納庫は、玄関ポーチの背面及び側面が建物の外壁と接する場合には、基礎となる基礎プレート部と、基礎プレート部に載置される側面パネル部及び正面パネル部と、上方を塞ぐ天井部と、出入口部と、を備えている。
【００１８】
したがって、これらの基本的な部品を組み合わせて用いることで、多様な配置が可能となるため、多様な間取りに対応できる。
【００１９】
加えて、本発明の収納庫は、玄関ポーチに配置され、建物の外壁を利用して形成されることで、外観において建物と一体の構造となるため、建物の美観が向上する。
【００２０】
また、側面パネル及び正面パネルの外装材を建物の外壁と同意匠とすることで、外観の一体感が高まり、建物の美観がいっそう向上する。
【００２１】
さらに、天井部として、ステップに立設される柱部に支持される庇パネル部を設置することで、容易に庇を構築することができる。
【００２２】
そして、上記したような収納庫を備えることで、美観を損なうことなく、必要な収納空間を備える建物を形成することができる。
【発明を実施するための最良の形態】
【００２３】
以下、本発明の最良の実施の形態について図面を参照して説明する。
【００２４】
まず、図２を用いて、収納庫２の設置場所について説明する。この収納庫２は、建物Ｓの玄関１２の屋外側に構築された玄関ポーチ１のステップ１１の上に設けられるものである。
【００２５】
この玄関ポーチ１は、玄関１２の屋外側に形成されるもので、図１及び図４に示すように、建物Ｓの外壁３１から突出するステップ１１と、後述する庇パネル部２６と、を備えており、人が出入りする際に必ず通過する場所であり、最初に目に触れるため、建物Ｓの外観の印象を左右する重要なポイントとなる。
【００２６】
ステップ１１は、コンクリートなどによって形成されるとともに、前面側には屋外と屋内との段差を調整する階段を有しており、表面にはタイル（図示せず）などが貼られている。
【００２７】
そして、このステップ１１の四方の側面のうち、背面１１ａは建物Ｓの外壁３１に接しており、いわゆる独立型の玄関ポーチ１となっている。
【００２８】
また、庇パネル部２６は、金属や樹脂によって形成され、後述するように収納庫２の上方を塞ぐとともに、玄関１２の正面上方まで延設されるため、雨よけや日よけとしての機能も有している。
【００２９】
そして、本実施の形態の建物Ｓには、図１に示すように、玄関ポーチ１のステップ１１の上に、収納庫２が設けられている。
【００３０】
この収納庫２は、玄関ポーチ１のステップ１１に設置される基礎プレート部２１と、基礎プレート部２１に載置され背面１１ａと接する外壁３１に突設される一対の側面パネル部２２，２２と、基礎プレート部２１に載置され一対の側面パネル部２２，２２の先端側であって外壁面３１と対向する位置に設置されて一対の側面パネル部２２，２２に接続させる正面パネル部２３と、外壁３１と一対の側面パネル部２２，２２と正面パネル部２３とによって囲まれる収納空間の上方を塞ぐ庇パネル部２６と、この庇パネル部２６を支持する柱部２５と、この柱部２５の外側を覆う出隅パネル部２９（図３（ｂ）参照）と、外壁３１に設けられる出入口部２４と、を備える。
【００３１】
この基礎プレート部２１は、図５（ａ）に示すように、金属などによって形成され、凸条部２１１と、平板部２１２と、を備えている。
【００３２】
この凸条部２１１は、凸型の断面形状を有しており、面積の広い底面がステップ１１の上面に接着剤などによって固定されるとともに、上面の突出部が側面パネル部２２や正面パネル部２３の下端に嵌め合わされる。
【００３３】
そして、外壁３１から略直角に突出するように一対の凸条部２１１，２１１が設けられるとともに、これらの先端を接続するように外壁３１と略平行に凸条部２１１が設けられ、全体としてコの字状を呈している。
【００３４】
また、平板部２１２は、正方形の薄板状に形成されて、底面がステップ１１の上面に接着剤などによって固定されるとともに、上面にはアンカーボルトを備えていることで柱部２５を固定できるように形成される。
【００３５】
そして、この平板部２１２は、柱部２５，２５が立設される予定の、ステップ１１の前面側の隅角部近傍の２箇所と、玄関１２側の側面パネル部２２と正面パネル部２３とが接続される箇所と、の合計３箇所に配置される。
【００３６】
さらに、独立した柱部２５の設置箇所に配置される平板部２１２を除いて、これらの凸条部２１１，２１１，２１１と平板部２１２，２１２とは相互に連結されている。
【００３７】
また、側面パネル部２２は、図３（ａ）に示すように、外壁３１の外装材３１１と同意匠の矩形の外装材２２１と、この外装材２２１の外周に沿った内側に取り付けられる枠部２２２と、枠部２２２の内側に取り付けられる内装材２２３と、を備えている。
【００３８】
この外装材２２１は、樹脂などによって矩形の板状に形成され、屋外側の表面は外壁３１の外装材３１１と同意匠に加工されている。
【００３９】
また、外壁３１に接する側の枠部２２２は、金属などによって略Ｃ字断面を有する長尺状に形成され、Ｃ字の一方の先端が屈曲されるとともに、他方の先端には取付孔２２２ａが設けられている。
【００４０】
そして、柱部２５に接する側の枠部２２７は、金属などによって略Ｌ字断面を有する長尺状に形成され、内側の先端が屈曲されるとともに、中途部に取付孔２２７ａが設けられている。
【００４１】
さらに、内装材２２３は、樹脂や金属などによって矩形の板状に形成され、ビス２２６によって、枠部２２２，２２７に取り付けられている。
【００４２】
同様に、正面パネル部２３は、図３（ｂ）に示すように、外壁３１の外装材３１１と同意匠の矩形の外装材２３１と、この外装材２３１の外周に沿った内側に取り付けられる枠部２３２と、枠部２３２の内側に取り付けられる内装材２３３と、を備えている。
【００４３】
この外装材２３１は、樹脂などによって矩形の板状に形成され、屋外側の表面は外壁３１の外装材３１１と同意匠に加工されている。
【００４４】
また、枠部２３２は、金属などによって略Ｌ字断面を有する長尺状に形成され、内側の先端が屈曲されるとともに、中途部に取付孔２３２ａが設けられている。
【００４５】
さらに、内装材２２３は、樹脂や金属などによって矩形の板状に形成され、ビス２２６によって、枠部２２２に取り付けられている。
【００４６】
また、庇パネル部２６は、図１に示すように、金属や樹脂などによって箱状に形成され、一つの側面が外壁３１に取付けられるとともに、前面側の両端近傍が柱部２５，２５に支持されて、外壁３１と側面パネル部２２，２２と正面パネル部２３とで形成される収納空間の上方を塞いでいる。
【００４７】
さらに、柱部２５は、図３（ｂ）に示すように、鋼管などによって形成される本体部２５１と、金属などによって略Ｌ字断面を有する長尺状に形成される取付片２５２，２５２と、を備えている。
【００４８】
この取付片２５２，２５２には、側面パネル部２２に向いた面と、正面パネル部２３に向いた面に、それぞれ取付孔２５２ａ，２５２ａが設けられている。
【００４９】
そして、出隅パネル部２９は、図３（ｂ）に示すように、柱部２５の屋外側に設置されるもので、樹脂などによって略Ｌ字断面の長尺状に形成され、外壁３１の外装材３１１と同意匠に加工された外装材２９１を備えている。
【００５０】
また、出入口部２４は、図１に示すように、建物Ｓの玄関１２に隣接する外壁３１に設けられ、屋内側から出入りできるように形成されている。
【００５１】
一方、図３（ａ）に示すように、外壁３１の屋外側で側面パネル部２２を設置する箇所には、側面パネル部２２の枠部２２２に対応して、スタッド２７が取り付けられている。
【００５２】
このスタッド２７は、金属などによって略Ｌ字の断面を有する長尺状に形成され、側面パネル部２２の枠部２２２に設けた取付孔２２２ａに対応する位置に、取付孔２７ａが設けられている。
【００５３】
さらに、外壁３１において、側面パネル部２２の枠部２２２に対応する位置には、防水のためにスーパーシート２８が貼設されて、側面パネル部２２を設置した際に、このスーパーシート２８が枠部２２２と外壁３１の間で圧縮されることで隙間を埋めるように形成されている。
【００５４】
次に、図５（ａ），（ｂ）及び図６（ａ），（ｂ）を参照しながら、本実施の形態の収納庫２の組み立て方法について説明する。
【００５５】
まず、図５（ａ）に示すように、基礎プレート部２１を、玄関ポーチ１のステップ１１の上面における所定の位置に配置する。
【００５６】
この基礎プレート部２１の凸条部２１１の底面や平板部２１２の底面は、接着剤、粘着テープ、又はボルトなどによってステップ１１に固定される。
【００５７】
次に、図５（ｂ）に示すように、ステップ１１の前面側の隅角部付近に設置した平板部２１２，２１２の上に、平板部２１２，２１２の上面から突出したアンカーボルトによって柱部２５，２５を固定するとともに、スタッド２７，２７を外壁３１の所定の位置にビスなどによって取り付ける。
【００５８】
次に、図６（ａ）に示すように、側面パネル部２２，２２及び正面パネル部２３を柱部２５及びスタッド２７に取り付ける。
【００５９】
この側面パネル部２２とスタッド２７とは、図３（ａ）に示すように、側面パネル部２２の枠部２２２に設けられた取付孔２２２ａと、スタッド２７に設けられた取付孔２７ａと、を挿通するボルト２２４とナット２２５によって固定される。
【００６０】
また、側面パネル部２２と柱部２５とは、図３（ｂ）に示すように、側面パネル部２２の枠部２２２に設けられた取付孔２２２ａと、柱部２５の取付片２５２に設けられた取付孔２５２ａと、を挿通するボルト２５４とナット２５５によって固定される。
【００６１】
さらに、正面パネル部２３と柱部２５とは、図３（ｂ）に示すように、正面パネル部２３の枠部２３２に設けられた取付孔２３２ａと、柱部２５の取付片２５２に設けられた取付孔２５２ａと、を挿通するボルト２５４とナット２５５によって固定される。
【００６２】
そして、柱部２５を設けない側では、正面パネル部２３と側面パネル部２２は、正面パネル部２３に取り付けられたスタッド枠部（図示せず）が上記の柱部２５と同様の役割を有することで固定される。
【００６３】
ここにおいて、これらの側面パネル部２２，２２や正面パネル部２３の下端は、基礎プレート部２１の凸条部２１１の上面に嵌め合わされるように固定される。
【００６４】
最後に、図６（ｂ）に示すように、庇パネル部２６を、柱部２５，２５の上端と外壁３１とに架け渡してビスなどによって取り付けるとともに、柱部２５の外側に出隅パネル部２９を取り付け、側面パネル部２２，２２や正面パネル部２３の内側に内装材２２３を貼り付けることで収納庫２が完成する。
【００６５】
次に、本実施の形態の収納庫２の作用について説明する。
【００６６】
このように、本発明の収納庫２では、基礎となる基礎プレート部２１と、基礎プレート部２１に載置される一対の側面パネル部２２，２２と、正面パネル部２３と、上方を塞ぐ庇パネル部２６と、出入口部２４と、を備えている。
【００６７】
したがって、これらの部品を組み合わせて用いることで、住宅の多様な間取りに対応して、多様な大きさ、多様なデザインを備える収納庫２を形成することができる。
【００６８】
すなわち、一般的な住宅では、顧客の要望に応じて様々な大きさ、デザインの玄関１２及び玄関ポーチ１が形成されるが、これに応じて、基本的な部品の組み合わせによって様々な大きさ、デザインの収納庫２を形成することができる。
【００６９】
特に、側面パネル部２２や正面パネル部２３では、外壁３１と同意匠の外装材２２１，２３１を枠部２２２，２３２などに固定することで、外観において外壁３１と一体の収納庫２を形成することができる。
【００７０】
すなわち、図４に示すように、収納庫２は建物Ｓの外壁３１と同じ外観を有するため、収納庫２は建物Ｓの一部として同化することとなって、美観が向上する。
【００７１】
ここにおいて、本発明の収納庫２は、玄関ポーチ１に配置され、建物Ｓの外壁３１を利用して形成されることで、外観において、建物Ｓとの一体感が高まり、建物Ｓの美観がいっそう向上する。
【００７２】
加えて、収納庫２の全体を、基本となる部品に分解することで、それぞれの部品の大きさを小さくすることができるため、運搬に便利であるとともに、現地で組立てる際にも、狭い空間において施工することが可能となる。
【００７３】
さらに、それぞれの部品には、取付孔が設けられていることで、現地で加工するなどの調整作業が必要ないため、特別に熟練工が必要になることもなく、作業が簡単になる。
【００７４】
また、収納庫２は、構造においては、建物Ｓの外壁３１の外側に、建物Ｓとは切り離して設けられることで、建物Ｓの防水ライン及び防火ラインの外側に位置することとなる。
【００７５】
したがって、収納庫２が浸水したり、火災となったりしても、屋内に水が浸入したり、火炎が入ったりすることを防止できる。
【００７６】
また、基礎プレート部２１の凸条部２１１の上面側の突出部と、側面パネル部２２や正面パネル部２３の下端と、が所定の遊間を持って嵌め合わされるため、ステップ１１の上面に不陸があった場合でも、側面パネル部２２や正面パネル部２３の下端と凸条部２１１との間に隙間が生じることがない。
【００７７】
さらに、柱部２５を設置する際には、基礎プレート部２１が全体としてコの字状を呈することで、倒れに対して安定するため、作業が容易となる。
【００７８】
そして、天井部として、ステップ１１に立設される柱部２５に支持されて、ステップ１１の上方全体を覆う庇パネル部２６を設置することで、収納庫２の上方を塞ぐとともに、玄関１２の正面上方を覆うことができる。
【００７９】
さらに、上記したような収納庫２を備えることで、美観を損なうことなく、必要な収納空間を備える建物Ｓを形成することができる。
【００８０】
すなわち、玄関１２や玄関ポーチ１と一体の収納庫２が形成されるため、建物Ｓの外観において最も重要なポイントとなる、玄関１２の近傍の美観を損なうことなく、かつ、必要な収納空間を備えることができる。
【実施例】
【００８１】
次に、図７を用いて、前記実施の形態とは別の形態の収納庫２Ａを備える建物Ｓ１について説明する。なお、前記実施の形態で説明した内容と同一乃至均等な部分の説明については同一符号を付して説明する。
【００８２】
前記実施の形態では、玄関ポーチ１のステップ１１の背面１１ａのみが建物Ｓの外壁３１に接する場合の収納庫２について説明したが、本実施例では、背面１１ａに加えて側面１１ｂが建物Ｓ１の外壁３２に接する場合の収納庫２Ａについて説明する。
【００８３】
まず、図７を用いて、本実施例の建物Ｓ１が備える収納庫２Ａの構成について説明する。
【００８４】
この収納庫２Ａは、基礎プレート部２１に載置され背面１１ａと接する外壁３１に突設される側面パネル部２２と、基礎プレート部２１に載置され側面１１ｂと接する外壁３２に突設されて、側面パネル部２２に接続させる正面パネル部２３と、を備えている。
【００８５】
また、正面パネル部２３には、出入口部２４が設けられて、正面から出入りすることができるように形成されている。
【００８６】
このように構成された本実施例の収納庫２Ａは、外壁３１，３２と側面パネル部２２と正面パネル部２３とによって収納空間を形成している。
【００８７】
したがって、収納庫２Ａの４つの側面のうち、２側面が建物Ｓ１の外壁３１，３２を利用しているため、建物Ｓ１と収納庫２Ａとの外観における一体感が高く、美観を損なうことなく、必要な収納空間を形成することができる。
【００８８】
また、収納庫２Ａの４つの側面の半分の２つの側面を、外壁部３１，３２を利用して形成されるため、収納空間を形成するために必要な材料を節約することができる。
【００８９】
さらに、正面側に出入口部２４を設けることで、屋外側から収納庫２Ａに出入りすることができるため、屋外で使う道具についた泥などによって屋内を汚すことがない。
【００９０】
なお、この他の構成および作用効果については、前記実施の形態と略同様であるため説明を省略する。
【００９１】
以上、図面を参照して、本発明の最良の実施の形態を詳述してきたが、具体的な構成は、この実施の形態又は実施例に限らず、本発明の要旨を逸脱しない程度の設計的変更は、本発明に含まれる。
【００９２】
例えば、本実施の形態及び実施例では、天井部として庇パネル部２６を備える場合について説明したが、これに限定されるものではなく、収納庫２，２Ａとは別に庇を備えるものであれば、庇を利用して収納空間を形成するものであってもよい。
【００９３】
また、本実施の形態及び実施例では、出入口部２４を、外壁３１や正面パネル部２３の片方のみに設ける場合について説明したが、これに限定されるものではなく、外壁３１と正面パネル部２３や側面パネル部２２に２つ以上の出入口部２４が設けられるものであってもよい。
【００９４】
さらに、本実施の形態及び実施例では、側面パネル部２２や正面パネル部２３の外装材２２１，２３１が外壁３１と同意匠の場合について説明したが、これに限定されるものではなく、全体としてまとまりがあり、美観が損なわれないものであれば、外壁３１と異なる意匠を備えるものであってもよい。
【００９５】
そして、本実施の形態及び実施例では、側面パネル部２２と正面パネル部２３とは、柱部２５を介して接続される場合について説明したが、これに限定されるものではなく、側面パネル部２２と正面パネル部２３とは、端部どうしが直接接続されるものであってもよい。
【図面の簡単な説明】
【００９６】
【図１】本発明の最良の実施の形態の収納庫の構成を説明する斜視図である。
【図２】本発明の最良の実施の形態の収納庫の配置場所を説明する建物全体の平面図である。
【図３】本発明の最良の実施の形態の収納庫の取付構造を説明する断面図である。（ａ）は側面パネル部と建物の外壁との取付構造を説明する断面図であり、（ｂ）は側面パネル部と柱部及び柱部と正面パネル部との取付構造を説明する断面図である。
【図４】本発明の最良の実施の形態の収納庫の外観を説明する正面図である。
【図５】収納庫の組み立て方法を説明する斜視図である。（ａ）は基礎プレート部を設置した状態であり、（ｂ）は柱部を設置した状態である。
【図６】収納庫の組み立て方法を説明する斜視図である。（ａ）は側面パネル部及び正面パネル部を設置した状態であり、（ｂ）は庇パネル部を設置した状態である。
【図７】実施例の収納庫の構成を説明する斜視図である。
【符号の説明】
【００９７】
Ｓ，Ｓ１        建物
１１            ステップ
１１ａ          背面
１１ｂ          側面
１２            玄関
２，２Ａ        収納庫
２１            基礎プレート部
２２            側面パネル部
２３            正面パネル部
２４            出入口部
２５            柱部
２６            庇パネル部（天井部）
３１            外壁
【図１】
2008248643.tif 000003
【図２】
2008248643.tif 000004
【図３】
2008248643.tif 000005
【図４】
2008248643.tif 000006
【図５】
2008248643.tif 000007
【図６】
2008248643.tif 000008
【図７】
2008248643.tif 000009